(57)【要約】【課題】ヒューズが溶断した状態にある間にブッシング内の各部が水で濡れた状態となる確率を低くして安全性を高めたカットアウト機能付き変圧器用ブッシングを提供する。【解決手段】先端を斜め下方に向けた状態で変圧器タンクに取り付けられる套管２０１内にリード側コンタクト２０２と、変圧器側コンタクト２０３と、消弧筒２０５Ａ及び２０５Ｂとを設け、套管２０１の内側にカットアウトヒューズ２０４を挿入してその電極２０７及び２０８をコンタクト２０２及び２０３にそれぞれ接触させる構造のカットアウト機能付き変圧器用ブッシングにおいて、套管２０１内に存在する水を套管の内周面に沿って該套管の先端側に流下させる排水通路２３３を套管の軸線方向の全長に亘って設け、排水通路２３３に沿って流下した水を外部に排出させる排水口２３４を套管２０１の先端部に設けた。【選択図】    図１
2006253378.tif 000002
【特許請求の範囲】
【請求項１】
先端を斜め下方に向けた状態で後端部が変圧器タンクに取り付けられる套管内にカットアウトヒューズを抜き差し可能に収容してなるカットアウト機能付き変圧器用ブッシングにおいて、
前記套管の後端部が前記変圧器タンクに取り付けられた状態にあるときに前記套管内に存在する水を前記套管の内周面に沿って該套管の先端側に流下させる排水通路が前記套管の軸線方向の全長に亘って設けられ、
前記排水通路に沿って流下した水を外部に排出させる排水口が前記套管の先端部に設けられていること、
を特徴とするカットアウト機能付き変圧器用ブッシング。
【請求項２】
先端を斜め下方に向けた状態で後端部が変圧器タンクに取り付けられる套管と、前記套管の先端部の内側に収容されたリード側コンタクトと、前記套管の後端部の内側に収容された変圧器側コンタクトと、可溶体を収容した筒状のヒューズ容器と該ヒューズ容器の先端部及び後端部にそれぞれ取り付けられて前記可溶体の一端及び他端にそれぞれ接続されたリード側電極及び変圧器側電極とを有して前記套管の先端から該套管内に抜き差し可能に挿入されて前記リード側電極及び変圧器側電極がそれぞれ前記リード側コンタクト及び変圧器側コンタクトに接触させられるカットアウトヒューズと、前記套管内の前記リード側コンタクトと変圧器側コンタクトとの間のスペースに配置されて前記カットアウトヒューズが前記套管から引き抜かれる際に前記カットアウトヒューズとの間に細隙を形成する消孤筒とを備えて、前記リード側コンタクトに外部から引き込まれるリード線が接続され、前記変圧器側コンタクトに前記変圧器の一次側が接続されるカットアウト機能付き変圧器用ブッシングにおいて、
前記套管とリード側コンタクトとの間、前記套管と消孤筒との間及び前記套管と変圧器側コンタクトとの間にそれぞれ相互に連通する隙間が形成されて、これらの隙間により、前記套管の後端部が前記変圧器タンクに取り付けられた状態にあるときに前記套管内に存在する水を前記套管の内周面に沿って該套管の先端側に流下させる排水通路が前記套管の軸線方向の全長に亘って形成され、
前記排水通路に一端が連通し、他端が下方に開口した排水口が前記套管の先端部に設けられていること、
を特徴とするカットアウト機能付き変圧器用ブッシング。
【請求項３】
前記消弧筒は、前記リード側コンタクトに一端が接続されたリード側消弧筒と、前記変圧器側コンタクトに一端が接続された変圧器側消弧筒とに２分割されている請求項２に記載のカットアウト機能付き変圧器用ブッシング。
【請求項４】
先端を斜め下方に向けた状態で後端部が変圧器タンクに取り付けられる套管と、前記套管の先端部の内側に収容されたリード側コンタクトと、前記套管の後端部の内側に収容された変圧器側コンタクトと、可溶体を収容した筒状のヒューズ容器と該ヒューズ容器の先端部及び後端部にそれぞれ取り付けられて前記可溶体の一端及び他端にそれぞれ接続されたリード側電極及び変圧器側電極とを有して前記套管の先端から該套管内に抜き差し可能に挿入されて前記リード側電極及び変圧器側電極がそれぞれ前記リード側コンタクト及び変圧器側コンタクトに接触させられるカットアウトヒューズと、前記套管内の前記リード側コンタクトと変圧器側コンタクトとの間のスペースに配置されて前記カットアウトヒューズが前記套管から引き抜かれる際に前記カットアウトヒューズとの間に細隙を形成する消孤筒とを備えて、前記リード側コンタクトに外部から引き込まれるリード線が接続され、前記変圧器側コンタクトに前記変圧器の一次側が接続されるカットアウト機能付き変圧器用ブッシングにおいて、
前記套管の後端部及び先端部をそれぞれ塞ぐように端板及びヒューズ挿入口を有するエンドキャップが取り付けられて、前記套管の先端部の内側に該套管と同心的に配置されたコンタクト支持筒体の一端が前記エンドキャップに接続され、
前記リード側コンタクトは、前記コンタクト支持筒体の内側に挿入されて該支持筒体に支持された管状のリード側シールド導体と該リード側シールド導体の内側に配置されて前記リード側電極と接触する接点部材とを備え、
前記変圧器側コンタクトは、前記カットアウトヒューズの後端部を受け入れるように筒状に形成されて一端が前記端板に支持され、他端が前記リード側コンタクト側に開口した変圧器側シールド導体と、該変圧器側シールド導体の他端側の内側に配置されて前記変圧器側電極と接触する接点部材とを備え、
前記消孤筒は、一端側が前記リード側シールド導体の内側に挿入されて支持されるとともに他端が前記変圧器側コンタクト側に開口したリード側消孤筒と、一端が前記変圧器側シールド導体の他端に連結部材を介して連結されて他端が前記リード側コンタクト側に開口した変圧器側消孤筒とからり、
前記連結部材は、前記変圧器側シールド導体の他端と前記変圧器側消孤筒の一端とを取り囲んで両者に係合するリング状の部材からなっていて、該リング状の部材が前記套管の内周面に当接されることにより前記導電部材と変圧器側消孤筒との連結部が前記套管に対して支持され、
前記変圧器側消孤筒の他端寄りの部分を取り囲むリング状の支持部材が設けられて該支持部材が前記套管の内周面に当接させられることにより前記変圧器側消孤筒の他端寄りの部分が前記套管に対して支持され、
前記套管とコンタクト支持筒体との間、前記套管とリード側消孤筒との間、前記套管と変圧器側消孤筒との間及び前記套管と変圧器側シールド導体との間にそれぞれ隙間が形成されて、これらの隙間により前記套管の軸線方向の全長に亘って延びていて前記套管の後端部が前記変圧器タンクに取り付けられた状態にあるときに前記套管内に存在する水を前記套管の内周面に沿って流下させる排水通路が形成され、
前記排水通路に一端が連通し、他端が外部に開口した排水口が前記套管の先端部に設けられ、
前記連結部材及び支持部材は、前記排水通路を流れる水を通過させるための隙間を有していること、
を特徴とするカットアウト機能付き変圧器用ブッシング。
【請求項５】
前記套管の内周面が撥水性を有する樹脂でコーティングされている請求項１，２，３または４に記載のカットアウト機能付き変圧器用ブッシング。
【請求項６】
変圧器タンクと、前記変圧器タンク内に収容された変圧器本体と、先端を斜め下方に向けた状態で後端部が前記変圧器タンクに取り付けられた套管と、前記套管内に抜き差し可能に収容されたカットアウトヒューズとを備えたカットアウトヒューズ内蔵形変圧器において、
前記套管の後端部が前記変圧器タンクに取り付けられた状態にあるときに前記套管内に存在する水を前記套管の内周面に沿って該套管の先端側に流下させる排水通路が前記套管の軸線方向の全長に亘って設けられ、
前記排水通路に沿って流下した水を外部に排出させる排水口が前記套管の先端部に設けられていること、
を特徴とするカットアウトヒューズ内蔵形変圧器。
【請求項７】
変圧器タンクと、前記変圧器タンク内に収容された変圧器本体と、先端を斜め下方に向けた状態で後端部が前記変圧器タンクに取り付けられた套管と、前記套管の先端部の内側に収容されたリード側コンタクトと、前記套管の後端部の内側に収容されて前記変圧器本体の一次側に接続された変圧器側コンタクトと、可溶体を収容した筒状のヒューズ容器と該ヒューズ容器の先端部及び後端部にそれぞれ取り付けられて前記可溶体の一端及び他端にそれぞれ接続されたリード側電極及び変圧器側電極とを有して前記套管の先端から該套管内に抜き差し可能に挿入されて前記リード側電極及び変圧器側電極がそれぞれ前記リード側コンタクト及び変圧器側コンタクトに接触させられたカットアウトヒューズと、前記套管内の前記リード側コンタクトと変圧器側コンタクトとの間のスペースに配置されて前記カットアウトヒューズが前記套管から引き抜かれる際に前記カットアウトヒューズとの間に細隙を形成する消孤筒とを備えて、外部から引き込まれるリード線が前記リード側コンタクトに接続されるカットアウトヒューズ内蔵形変圧器において、
前記套管とリード側コンタクトとの間、前記套管と消孤筒との間及び前記套管と変圧器側コンタクトとの間にそれぞれ相互に連通する隙間が形成されて、これらの隙間により、前記套管内に存在する水を前記套管の内周面に沿って該套管の先端側に流下させる排水通路が前記套管の軸線方向の全長に亘って形成され、
前記排水通路の最下端に一端が連通し、他端が下方に開口した排水口が前記套管の先端部に設けられていること、
を特徴とするカットアウトヒューズ内蔵形変圧器。
【請求項８】
前記消弧筒は、前記リード側コンタクトに一端が接続されたリード側消弧筒と、前記変圧器側コンタクトに一端が接続された変圧器側消弧筒とに２分割されている請求項６に記載のカットアウトヒューズ内蔵形変圧器。
【請求項９】
変圧器タンクと、前記変圧器タンク内に収容された変圧器本体と、先端を斜め下方に向けた状態で後端部が前記変圧器タンクに取り付けられた套管と、前記套管の先端部の内側に収容されたリード側コンタクトと、前記套管の後端部の内側に収容されて前記変圧器本体の一次側に接続された変圧器側コンタクトと、可溶体を収容した筒状のヒューズ容器と該ヒューズ容器の先端部及び後端部にそれぞれ取り付けられて前記可溶体の一端及び他端にそれぞれ接続されたリード側電極及び変圧器側電極とを有して前記套管の先端から該套管内に抜き差し可能に挿入されて前記リード側電極及び変圧器側電極がそれぞれ前記リード側コンタクト及び変圧器側コンタクトに接触させられたカットアウトヒューズと、前記套管内の前記リード側コンタクトと変圧器側コンタクトとの間のスペースに配置されて前記カットアウトヒューズが前記套管から引き抜かれる際に前記カットアウトヒューズとの間に細隙を形成する消孤筒とを備えて、外部から引き込まれるリード線が前記リード側コンタクトに接続されるカットアウトヒューズ内蔵形変圧器において、
前記套管の後端部及び先端部をそれぞれ塞ぐように端板及びヒューズ挿入口を有するエンドキャップが取り付けられて、前記套管の先端部の内側に該套管と同心的に配置されたコンタクト支持筒体の一端が前記エンドキャップに接続され、
前記リード側コンタクトは、前記コンタクト支持筒体の内側に挿入されて該筒体に支持された管状のリード側シールド導体と該リード側シールド導体の内側に配置されて前記リード側電極と接触する接点部材とを備え、
前記変圧器側コンタクトは、前記カットアウトヒューズの後端部を受け入れるように筒状に形成されて一端が前記端板に支持され、他端が前記リード側コンタクト側に開口した変圧器側シールド導体と、該変圧器側シールド導体の他端側の内側に配置されて前記変圧器側電極と接触する接点部材とを備え、
前記変圧器の一次側から引き出された口出し線に接続された棒状の端子導体が前記変圧器側シールド導体に接続されて、該端子導体が前記端板を貫通して外部に導出され、
前記リード線を接続するリード線接続部を一端に有する端子棒が前記套管の先端部寄りの側壁を貫通して該套管内に導入されて該端子棒の他端が前記リード側シールド導体に接続され、
前記消孤筒は、一端側が前記リード側シールド導体の内側に挿入されて支持されて他端が前記変圧器側コンタクト側に開口したリード側消孤筒と、一端が前記変圧器側シールド部材の他端に連結部材を介して連結されて他端が前記リード側コンタクト側に開口した変圧器側消孤筒とからり、
前記連結部材は、前記変圧器側シールド導体の他端と前記変圧器側消孤筒の一端とを取り囲んで両者に係合するリング状の部材からなっていて、該リング状の部材が前記套管の内周面に当接されることにより前記変圧器側シールド導体と変圧器側消孤筒との連結部が前記套管に対して支持され、
前記変圧器側消孤筒の他端寄りの部分を取り囲むリング状の支持部材が設けられて該支持部材が前記套管の内周面に当接されることにより前記変圧器側消孤筒の他端寄りの部分が前記套管に対して支持され、
前記套管とコンタクト支持筒体との間、前記套管とリード側消孤筒との間、前記套管と変圧器側消孤筒との間及び前記套管と変圧器側シールド導体との間にそれぞれ隙間が形成されて、これらの隙間により、前記套管の後端部が前記変圧器タンクに取り付けられた状態にあるときに前記套管内に存在する水を前記套管の内周面に沿って該套管の先端側に流下させる排水通路が前記套管の軸線方向の全長に亘って形成され、
前記排水通路の最下端に一端が連通し、他端が外部に開口した排水口が前記套管の先端部に設けられ、
前記連結部材及び支持部材は、前記排水通路を流れる水を通過させるための隙間を形成するように設けられていること、
を特徴とするカットアウトヒューズ内蔵形変圧器。
【請求項１０】
前記套管の内周面が撥水性を有する樹脂でコーティングされている請求項６，７，８または９に記載のカットアウトヒューズ内蔵形変圧器。
【発明の詳細な説明】
【技術分野】
【０００１】
本発明は、カットアウト機能付きの変圧器用ブッシング及び該変圧器用ブッシングを変圧器タンクに取り付けてなるカットアウトヒューズ内蔵形変圧器に関するものである。
【背景技術】
【０００２】
配電系統において、装柱される機器の構成を簡素にして周囲環境との調和を図るため、特許文献１及び特許文献２に示されているように、変圧器タンクの側壁にブッシングを取り付けて、ブッシング内にカットアウトヒューズを抜き差し自在に収容したカットアウトヒューズ内蔵形の柱上変圧器が開発されている。
【０００３】
特許文献１に示された変圧器は、図１０に示したように、変圧器タンク１′と、変圧器タンク１′内に収容された図示しない変圧器本体と、変圧器タンク１′に取り付けられたカットアウト機能付き変圧器用ブッシング２′とにより構成される。カットアウト機能付き変圧器用ブッシング２′は、先端を斜め下方に向けた状態で後端部が変圧器タンク１′に取り付けられた套管２０１′と、套管２０１′の先端部の内側に収容された雌形のリード側コンタクト２０２′と、套管２０１′の後端部の内側に収容された雌形の変圧器側コンタクト２０３′と、套管２０１′の先端に設けられた開口部から該套管内に抜き差し可能な状態で挿入されたカットアウトヒューズ２０４′と、套管２０１′の内側に配置された消弧筒２０５′とにより構成される。
【０００４】
カットアウトヒューズ２０４′は、可溶体を収容した筒状のヒューズ容器２０６′と該ヒューズ容器の先端部及び後端部にそれぞれ取り付けられて前記可溶体の一端及び他端にそれぞれ接続されたリード側電極２０７′及び変圧器側電極２０８′と、ヒューズ容器２０６′の後端に一端が接続された消孤棒２０９′とヒューズ容器２０６′の先端側のリード側電極２０７′に隣接する部分を囲むように取り付けられた消弧管２１０′とを有していて、リード側電極及び変圧器側電極２０７′及び２０８′がそれぞれリード側コンタクト２０２′及び変圧器側コンタクト２０３′に接触させられる。消弧筒２０５′、消弧棒２０９′及び消弧管２１０′は、アークにより加熱された際に消弧性のガスを発生する樹脂、例えばジュラコン樹脂により形成されている。
【０００５】
リード側コンタクト２０２′には外部から引き込まれたリード線３′が接続され、変圧器側コンタクト２０３′には変圧器本体の一次側から引き出された口出線４′が接続される。消弧筒２０５′は、套管内のリード側コンタクト２０２′と変圧器側コンタクト２０３′との間のスペースに配置されて、カットアウトヒューズ２０４′が套管２０１′から引き抜かれる際にカットアウトヒューズの消孤棒２０９′との間及び消弧管２１０′との間に細隙を形成する。
【０００６】
この種の変圧器では、カットアウトヒューズ２０４′をブッシングの套管２０１′内に挿入することによりリード側コンタクト２０２′と変圧器側コンタクト２０３′との間が接続されて、外部から引き込まれるリード線３′と変圧器本体の一次側との間が電気的に接続される。またカットアウトヒューズ２０４′を套管２０１′から引き抜くことにより、套管内のリード側コンタクト２０２′と変圧器側コンタクト２０３′との間が開放状態にされる。カットアウトヒューズ２０４′を套管から引き抜く際には、リード側電極２０７′及び変圧器側電極２０８′がそれぞれリード側コンタクト２０２′及び変圧器側コンタクト２０３′から離れたときにそれぞれの電極とコンタクトとの間にアークが発生する。リード側電極２０７′とリード側コンタクト２０２′との間に生じたアーク及び変圧器側電極２０８′と変圧器側コンタクト２０３′との間に生じたアークは、消弧筒２０５′と消弧管２１０′との間に形成される細隙及び消弧筒２０５′と消弧棒２０９′との間に形成される細隙内に引き込まれて消滅させられる。
【０００７】
特許文献２に示された変圧器用ブッシングも上記と同様に構成されている。
【特許文献１】特開２００４−１９２９９８号公報
【特許文献２】特開２００１−９３７４１号公報
【発明の開示】
【発明が解決しようとする課題】
【０００８】
特許文献１及び特許文献２に示されたカットアウト機能付き変圧器用ブッシングを屋外で使用する場合、緊急時には、雨天であってもヒューズの交換作業を行なうことが必要とされる。雨中でヒューズの交換作業を行なった場合には、套管の先端の開口部から水が侵入したり、カットアウトヒューズを套管内に挿入した際にその外面に付着した水滴がブッシング内に入り込むおそれがある。このようにしてブッシング内に水が入ると、通電による発熱や太陽熱の照射により套管内の温度が上昇したときに水分が蒸発し、その後夜間に套管内の温度が低下すると水蒸気が結露する。ブッシング内で結露が生じると、ヒューズ容器の外周面や消弧筒の内周面及び外周面が濡れてブッシング内の絶縁耐力が低下するため、たまたまブッシング内で結露が生じている状態でヒューズが溶断すると、変圧器側コンタクトとリード側コンタクトとの間に高電圧が印加されて、ヒューズ容器の外周面と、消弧筒の内周面及び外周面とに漏れ電流が流れ、これらの漏れ電流により生じる発熱によりヒューズ容器及び消弧筒が炭化して劣化するという問題があった。ヒューズ容器及び消弧筒が炭化して劣化すると、変圧器側コンタクトとリード側コンタクトとの間の絶縁耐力が著しく低下するため、両コンタクト間で閃絡が生じ、事故につながるおそれがある。
【０００９】
ブッシング内に侵入した水を早期に外部に排出することができれば上記のような問題が生じることを回避することができるが、従来のカットアウト機能付き変圧器用ブッシングにおいては、消弧筒と套管との間に套管の軸線方向と直交する面を有する段差部がいくつか存在し、これらの段差部が結露した水分を堰き止めて、水分をブッシング内に留める働きをするため、ブッシング内で水分の蒸発と結露とのサイクルが繰り返される状態が長期間継続し、ヒューズが溶断した状態にある間にブッシング内の各部が濡れている状態となる確率がある程度高くなるのを避けられなかった。例えば図１０に示した例では、図中に丸印Ｚ1及びＺ2を付して示した部分に段差部ｄ1及びｄ2が存在し、これらの段差部のところに水Ｗが溜まるおそれがあった。
【００１０】
本発明の目的は、ブッシング内に水分が溜まり難い構造にすることにより、ヒューズが溶断した状態にある間にブッシング内の各部が濡れている状態となる確率を低くして安全性を高めたカットアウト機能付き変圧器用ブッシング及び、該ブッシングが変圧器タンクに取り付けられたカットアウトヒューズ内蔵形変圧器を提供することにある。
【課題を解決するための手段】
【００１１】
本発明は、先端を斜め下方に向けた状態で後端部が変圧器タンクに取り付けられる套管内にカットアウトヒューズを抜き差し可能に収容してなるカットアウト機能付き変圧器用ブッシングを対象とする。
本発明においては、套管の後端部が変圧器タンクに取り付けられた状態にあるときに套管内に存在する水を套管の内周面に沿って該套管の先端側に流下させる排水通路が套管の軸線方向の全長に亘って設けられ、排水通路に沿って流下した水を外部に排出させる排水口が套管の先端部に設けられている。
【００１２】
上記のように、套管内に存在する水を套管の内周面に沿って該套管の先端側に流下させる排水通路を套管の軸線方向の全長に亘って設けるとともに、排水通路に沿って流下した水を外部に排出させる排水口を套管の先端部に設けると、ブッシング内に侵入した水及びブッシング内で結露した水は、ブッシング内で下方に移動して排水通路に達し、該排水通路に沿って流下して排水口から外部に排出される。このようにしてブッシング内に侵入した水の大部分は、速やかに外部に排出されるため、ブッシング内は、通電により生じる発熱または太陽熱の照射による温度上昇により速やかに乾燥した状態に戻る。従って、水の存在によりブッシング内の絶縁耐力が低下した状態が長時間継続するのを防いで、ヒューズが溶断した状態にある間にブッシング内の絶縁耐力が低下した状態となる確率を少なくすることができ、消孤筒の内周面及び外周面とヒューズ容器の外周面とを通して漏れ電流が流れて消孤筒及びヒューズ容器が劣化するのを防ぐことができる。
【００１３】
通常、カットアウト機能を有する変圧器用ブッシングは、先端を斜め下方に向けた状態で後端部が変圧器タンクに取り付けられる套管と、套管の先端部の内側に収容されたリード側コンタクトと、套管の後端部の内側に収容された変圧器側コンタクトと、可溶体を収容した筒状のヒューズ容器と該ヒューズ容器の先端部及び後端部にそれぞれ取り付けられて可溶体の一端及び他端にそれぞれ接続されたリード側電極及び変圧器側電極とを有して套管の先端から該套管内に抜き差し可能に挿入されて前記リード側電極及び変圧器側電極がそれぞれリード側コンタクト及び変圧器側コンタクトに接触させられるカットアウトヒューズと、套管内のリード側コンタクトと変圧器側コンタクトとの間のスペースに配置されてカットアウトヒューズが套管から引き抜かれる際にカットアウトヒューズの消孤棒及び消弧管との間に細隙を形成する消孤筒とを備えていて、リード側コンタクトに外部から引き込まれるリード線が接続され、変圧器側コンタクトに変圧器の一次側が接続される。  このように変圧器用ブッシングが構成される場合、本発明の好ましい態様では、套管とリード側コンタクトとの間、套管と消孤筒との間及び套管と変圧器側コンタクトとの間にそれぞれ相互に連通する隙間が形成され、套管とリード側コンタクトとの間の隙間と套管と消孤筒との間の隙間と套管と変圧器側コンタクトとの間の隙間とにより、套管の後端部が変圧器タンクに取り付けられた状態にあるときに套管内に存在する水を套管の内周面に沿って該套管の先端側に流下させる排水通路が套管の軸線方向の全長に亘って形成される。また排水通路に一端が連通し、他端が下方に開口した排水口が套管の先端部に設けられる。
【００１４】
本発明に係わるブッシングの他の好ましい態様では、上記消弧筒が、リード側コンタクトに一端が接続されたリード側消弧筒と、変圧器側コンタクトに一端が接続された変圧器側消弧筒とに２分割されている。
【００１５】
上記のように、消孤筒を２分割すると、消孤筒の外周面及び内周面を通して形成される鉛面距離を断ち切ることができるため、変圧器側コンタクトとリード側コンタクトとの間の鉛面絶縁距離を長くして絶縁耐力を高めることができ、ブッシング内に水が存在するときに両コンタクト間を通して漏れ電流が流れるのを防ぐことができる。
【００１６】
本発明の更に具体的な態様では、カットアウト機能付き変圧器用ブッシングが下記のように構成される。
套管の後端部及び先端部をそれぞれ塞ぐように端板及びヒューズ挿入口を有するエンドキャップが取り付けられて、套管の先端部の内側に該套管と同心的に配置されたコンタクト支持筒体の一端がエンドキャップに接続されている。
リード側コンタクトは、コンタクト支持筒体の内側に挿入されて該筒体に支持された管状のリード側シールド導体と該リード側シールド導体の内側に配置されて前記リード側電極と接触する接点部材とを備えている。
変圧器側コンタクトは、カットアウトヒューズの後端部を受け入れるように筒状に形成されて一端が端板に支持され、他端がリード側コンタクト側に開口した管状の変圧器側シールド導体と、該変圧器側シールド導体の他端側の内側に配置されて変圧器側電極と接触する接点部材とを備えている。
消孤筒は、一端側がリード側シールド導体の内側に挿入されて支持されて他端が変圧器側コンタクト側に開口したリード側消孤筒と、一端が変圧器側シールド導体の他端に連結部材を介して連結されて他端がリード側コンタクト側に開口した変圧器側消孤筒とからなっている。
連結部材は、変圧器側シールド導体の他端と変圧器側消孤筒の一端とを取り囲んで両者に係合するリング状の部材からなっていて、該リング状の部材が套管の内周面に当接されることにより導電部材と変圧器側消孤筒との連結部が套管に対して支持されている。
変圧器側消孤筒の他端寄りの部分を取り囲むリング状の支持部材が設けられて該支持部材が前記套管の内周面に当接されることにより変圧器側消孤筒の他端寄りの部分が套管に対して支持されている。
套管とリード側コンタクトとの間、套管とリード側シールド導体との間、套管とリード側消孤筒との間、套管と変圧器側消孤筒との間及び套管と変圧器側シールド導体との間にそれぞれ隙間が形成されて、これらの隙間により、套管の後端部が変圧器タンクに取り付けられた状態にあるときに套管内に存在する水を套管の内周面に沿って該套管の先端側に流下させる排水通路が套管の軸線方向の全長に亘って形成され、排水通路に一端が連通し、他端が外部に開口した排水口が套管の先端部に設けられている。
連結部材及び支持部材は、排水通路を流れる水を通過させるための隙間を有している。
【００１７】
本発明はまた、変圧器タンクと、該変圧器タンク内に収容された変圧器本体と、先端を斜め下方に向けた状態で後端部が変圧器タンクに取り付けられた套管と、套管内に抜き差し可能に収容されたカットアウトヒューズとを備えたカットアウトヒューズ内蔵形変圧器に適用される。
本発明においては、套管の後端部が変圧器タンクに取り付けられた状態にあるときに套管内に存在する水を套管の内周面に沿って該套管の先端側に流下させる排水通路が套管の軸線方向の全長に亘って設けられ、排水通路に沿って流下した水を外部に排出させる排水口が套管の先端部に設けられる。
【００１８】
通常カットアウトヒューズ内蔵形変圧器は、変圧器タンクと、該変圧器タンク内に収容された変圧器本体と、先端を斜め下方に向けた状態で後端部が変圧器タンクに取り付けられた套管と、該套管の先端部の内側に収容されたリード側コンタクトと、套管の後端部の内側に収容されて変圧器本体の一次側に接続された変圧器側コンタクトと、可溶体を収容した筒状のヒューズ容器と該ヒューズ容器の先端部及び後端部にそれぞれ取り付けられて可溶体の一端及び他端にそれぞれ接続されたリード側電極及び変圧器側電極とを有して套管の先端から該套管内に抜き差し可能に挿入されてリード側電極及び変圧器側電極がそれぞれリード側コンタクト及び変圧器側コンタクトに接触させられたカットアウトヒューズと、套管内のリード側コンタクトと変圧器側コンタクトとの間のスペースに配置されてカットアウトヒューズが套管から引き抜かれる際にカットアウトヒューズとの間に細隙を形成する消孤筒とを備えていて、外部から引き込まれるリード線がリード側コンタクトに接続される。
上記のように変圧器が構成される場合、本発明の好ましい態様では、套管とリード側コンタクトとの間、套管と消孤筒との間及び套管と変圧器側コンタクトとの間にそれぞれ相互に連通する隙間が形成されて、套管とリード側コンタクトとの間の隙間と套管と消孤筒との間の隙間と套管と変圧器側コンタクトとの間の隙間とにより、套管内に存在する水を套管の内周面に沿って該套管の先端側に流下させる排水通路が套管の軸線方向の全長に亘って形成され、排水通路の最下端に一端が連通し、他端が下方に開口した排水口が套管の先端部に設けられる。
【００１９】
この場合も、消弧筒は、リード側コンタクトに一端が接続されたリード側消弧筒と、変圧器側コンタクトに一端が接続された変圧器側消弧筒とに２分割されていることが好ましい。
【００２０】
本発明の更に具体的な態様では、変圧器が以下のように構成される。
套管の後端部及び先端部をそれぞれ塞ぐように端板及びヒューズ挿入口を有するエンドキャップが取り付けられて、套管の先端部の内側に該套管と同心的に配置されたコンタクト支持筒体の一端が前記エンドキャップに接続される。
リード側コンタクトは、コンタクト支持筒体の内側に挿入されて該筒体に支持された管状のリード側シールド導体と該リード側シールド導体の内側に配置されてリード側電極と接触する接点部材とを備えている。
変圧器側コンタクトは、カットアウトヒューズの後端部を受け入れるように筒状に形成されて一端が端板に支持され、他端がリード側コンタクト側に開口した変圧器側シールド導体と、該変圧器側シールド導体の他端側の内側に配置されて変圧器側電極と接触する接点部材とを備えている。
変圧器の一次側から引き出された口出し線に接続された棒状の端子導体が変圧器側シールド導体に接続されて、該端子導体が端板を貫通して外部に導出されている。
リード線を接続するリード線接続部を一端に有する端子棒が套管の先端部寄りの側壁を貫通して該套管内に導入されて該端子棒の他端がリード側シールド導体に接続されている。
消孤筒は、一端側がリード側シールド導体の内側に挿入されて支持されて他端が変圧器側コンタクト側に開口したリード側消孤筒と、一端が変圧器側シールド部材の他端に連結部材を介して連結されて他端がリード側コンタクト側に開口した変圧器側消孤筒とからなっている。
連結部材は、変圧器側シールド導体の他端と変圧器側消孤筒の一端とを取り囲んで両者に係合するリング状の部材からなっていて、該リング状の部材が套管の内周面に当接されることにより変圧器側シールド導体と変圧器側消孤筒との連結部が套管に対して支持されている。
変圧器側消孤筒の他端寄りの部分を取り囲むリング状の支持部材が設けられて該支持部材が套管の内周面に当接されることにより変圧器側消孤筒の他端寄りの部分が套管に対して支持される。
套管とコンタクト支持筒体との間、套管とリード側消孤筒との間、套管と変圧器側消孤筒との間及び套管と変圧器側シールド導体との間にそれぞれ隙間が形成されて、これらの隙間により、套管の後端部が変圧器タンクに取り付けられた状態にあるときに套管内に存在する水を前記套管の内周面に沿って該套管の先端側に流下させる排水通路が前記套管の軸線方向の全長に亘って形成され、排水通路の最下端に一端が連通し、他端が外部に開口した排水口が套管の先端部に設けられている。
連結部材及び支持部材は、排水通路を流れる水を通過させるための隙間を套管との間に形成するように設けられている。
【発明の効果】
【００２１】
以上のように、本発明によれば、套管内に存在する水を套管の内周面に沿って該套管の先端側に流下させる排水通路を套管の軸線方向の全長に亘って設けるとともに、排水通路に沿って流下した水を外部に排出させる排水口を套管の先端部に設けたので、ブッシング内に侵入した水及びブッシング内で結露した水を溜めることなく、排水通路を通して速やかに外部に排出することができ、雨中でカットアウトヒューズの交換作業を行なう際などにブッシング内に水が侵入したとしても、早期に水を套管の外部に排出して、水の存在によりブッシング内の絶縁耐力が低下する状態が継続するのを防ぐことができる。従って、水の存在によりブッシング内の絶縁耐力が低下した状態が長時間継続するのを防いで、ヒューズが溶断した状態にある間にブッシング内の絶縁耐力が低下した状態となる確率を少なくすることができ、消孤筒の内周面及び外周面とヒューズ容器の外周面とを通して漏れ電流が流れて消孤筒及びヒューズ容器が劣化するのを防ぐことができる。
【発明を実施するための最良の形態】
【００２２】
以下図面を参照して本発明の好ましい実施形態を詳細に説明する。
図１は本発明に係わるカットアウトヒューズ内蔵形変圧器の好ましい実施形態の要部の構成を示したもので、同図において、１は柱上に設置される変圧器タンクである。変圧器タンク１内には、図示しない変圧器本体が絶縁油とともに収容されている。変圧器タンク１は、その側壁の上部に管台１０１を備え、この管台１０１にカットアウト機能付きブッシング２が取り付けられている。管台１０１は、先端にフランジ板１０２が取り付けられた管状の部材からなっていて、その先端を斜め下方に向けた状態で配置されて、変圧器タンク１の側壁に溶接されている。
【００２３】
カットアウト機能付き変圧器用ブッシング２は、套管２０１と、套管２０１の先端部の内側に収容された雌形のリード側コンタクト２０２と、套管２０１の後端部の内側に収容された雌形の変圧器側コンタクト２０３と、套管２０１の先端に設けられた開口部から該套管内に抜き差し可能な状態で挿入されたカットアウトヒューズ２０４と、套管２０１の内側に配置されたリード側消弧筒及び変圧器側消弧筒２０５Ａ及び２０５Ｂとにより構成される。
【００２４】
套管２０１は、内側絶縁筒２０１ａと、該絶縁筒の外周に接合された笠付きの外側絶縁管２０１ｂとからなっていて、その後端部寄りの部分にフランジ２０１ｃが取り付けられている。套管２０１の後端部が管台１０１のフランジ板１０２の内周側の孔を通して管台１０１内に挿入され、フランジ２０１ｃがフランジ板１０２にボルト止めされることにより、套管２０１が、その先端を斜め下方に向けた状態で変圧器タンク１に取り付けられている。
【００２５】
套管２０１の後端部及び先端部をそれぞれ塞ぐように端板２２０及びエンドキャップ２２１（図４参照）が取り付けられ、エンドキャップ２２１にはカットアウトヒューズ２０４を貫通させるヒューズ挿入口２２１ａが形成されている。またエンドキャップ２２１には、套管２０１と同心的に配置されたコンタクト支持筒体２２２の一端がボルト止めされている。コンタクト支持筒体２２２は、加熱された際に消弧性のガスを発生する樹脂（この実施例ではジュラコン樹脂）により形成されている。
【００２６】
図５（Ａ），（Ｂ）に示したように、コンタクト支持筒体２２２は、正方形の４つの角部に丸みをつけた断面形状を有していて、４つの角部が套管２０１に内接するように構成されている。支持筒体２２２は、その一つの側面が套管２０１の内周面の下部（変圧器タンクに取り付けられた状態での下部）に対向するように取り付けられていて、筒体２２２と套管２０１の内周面の下部との間に隙間Ｇ1が形成されている。コンタクト支持筒体２２２の内周面には、リード側コンタクト２０２の先端を当接させて位置決めする段部２２２ａが形成されている。
【００２７】
リード側コンタクト２０２は、図６（Ｂ）に示したように後端部にフランジ２０２a1を有する管状のリード側シールド導体２０２Ａと、図６（Ａ）に示す接点部材２０２Ｂと、図６（Ｃ）に示すシールド環２０２Ｃとにより構成されている。接点部材２０２Ｂは、後端部側に設けられた環状の基部２０２b1と、基部２０２b1の先端から軸線方向に突出した多数の接触子片２０２b2によりチューリップ形に構成されていて、接触子片の先端をリード側シールド導体２０２Ａの先端側に向けた状態で該リード側シールド導体２０２Ａ内に挿入されている。シールド環２０２Ｃは、先端につば部２０２c1が形成されたリング状の部材からなっていて、リード側シールド導体２０２Ａの先端側から該シールド導体の内側に挿入されて接点部材２０２Ｂの接触子片２０２b2の先端に内側から接触させられている。シールド環２０２Ｃは、接点部材の接触子片の先端部付近の電界の緩和を図る目的と、套管２０１内に挿入されるヒューズをガイドする目的とで設けられている。
【００２８】
リード側コンタクト２０２は、先端（シールド環２０２Ｃ）をエンドキャップ２２１側に向けた状態で、シールド環２０２Ｃがコンタクト支持筒体２２２の内周の段部２２２ａに当接するまでコンタクト支持筒体２２２の他端側から該コンタクト支持筒体内に挿入され、接点部材２０２Ｂの後端部に設けられたフランジ２０２b3とリード側シールド導体２０２Ａのフランジ２０２a1とがコンタクト支持筒体２２２の他端にボルト止めされて、リード側コンタクト２０２がコンタクト支持筒体２２２に締結されている。
【００２９】
リード線３を接続するリード線接続部を一端に有する端子棒２２３が套管２０１の先端部寄りの側壁を貫通して該套管内に導入されて該端子棒２２３の他端がリード側シールド導体２０２Ａのフランジ２０２a1に接続されている。
【００３０】
図４に示したように、エンドキャップ２２１は、ブッシングが変圧器タンクに取り付けられた状態で最下部に位置する部分に凹部（逃げ）２２１ｂを有し、この凹部２２１ｂにより、エンドキャップ２２１とコンタクト支持筒体２２２の一端との間に外部に開口した隙間Ｇaが形成されている。
【００３１】
リード側消孤筒２０５Ａは、図７（Ａ）に示したように一端につば部２０５a1を有する肉厚部２０５a2と肉厚部２０５a2の一端から軸線方向に突出した薄肉部２０５a3とを一体に有する筒体からなるコンタクト側消孤筒２０５A1と、図７（Ｂ）及び（Ｃ）に示すように外周面が正八角形の断面形状を有する角筒部２０５a4と該角筒部２０５a4の一端側に形成された薄肉の円筒部２０５a5とを一体に有するエンドキャップ側消孤筒２０５A2とからなっている。コンタクト側消孤筒２０５A1はその薄肉部２０５a3をリード側コンタクト２０２の内側に挿入した状態で配置されて、つば部２０５a1がリード側コンタクトのシールド導体２０２Ａのつば部２０２a1と共締めされてコンタクト支持筒体２２２に固定されている。またエンドキャップ側消孤筒２０５A2は、リード側コンタクト２０２よりもエンドキャップ側に位置させて、コンタクト支持筒体２２２の内周に嵌合されている。エンドキャブ側消孤筒２０５A2の角筒部２０５a4の外周は断面が正八角形を呈しているため、該角筒部２０５a4の外周面とコンタクト支持筒体２２２の内周面との間に水を外部に排出するための隙間Ｇbが形成されている。
【００３２】
カットアウトヒューズ２０４は、図２に示されているように、可溶体を収容した筒状のヒューズ容器２０６と、該ヒューズ容器の先端部及び後端部にそれぞれ取り付けられて可溶体の一端及び他端にそれぞれ接続されたリード側電極２０７及び変圧器側電極２０８と、ヒューズ容器２０６の後端に一端が接続された消孤棒２０９と、ヒューズ容器２０６の先端側のリード側電極２０７に隣接する部分を囲むように取り付けられた消弧管２１０とを備えている。図示の例では、ヒューズ容器２０７の先端部に取り付けられたキャップ状の端子金具２１１に可溶体の一端が接続され、円筒状に形成されたリード側電極２０７が端子金具２１１にボルト結合されている。またヒューズ容器２０６の後端部に取り付けられたキャップ状の端子金具が変圧器側電極２０８として用いられている。消弧管２１０は、加熱された際に消弧性のガスを発生する樹脂（この例ではジュラコン樹脂）により形成されていて、端子金具２１１をその内側に収容した状態で、ヒューズ容器２０６の先端部付近を覆うように取り付けられている。リード側電極２０７のヒューズ容器と反対側の端部に絶縁操作棒２１２が取り付けられ、この絶縁操作棒の内側に、ヒューズが溶断したときに動作して溶断表示を行なう溶断表示装置が収容されている。溶断表示装置は、例えば、ヒューズが溶断したときにヒューズ容器２０６の先端から針を突出させる機構と、この針に連動して、絶縁操作棒２１２の先端から標識を突出させる表示機構とにより構成される。
【００３３】
消弧棒２０９は消弧管２１０と同様の樹脂（この例ではジュラコン樹脂）からなっていて、ヒューズ容器２０６の後端部に取り付けられた取付ネジ２１３にネジ結合されて取り付けられている。消弧棒２０９の端部には、ヒューズが套管２０１内に挿入された際に套管内に設けられた把持バネ２２５（図１参照）によりつかまれて把持される把持部２０９ａが形成されている。
【００３４】
変圧器側コンタクト２０３は、図３（Ｃ）に示したように、ヒューズ２０４に取り付けられたカットアウトヒューズの後端部を受け入れるように筒状に形成されて一端が端板２２０に支持され、他端がリード側コンタクト側に開口した変圧器側シールド導体２０３Ａと、図３（Ａ）に示すように構成されて変圧器側シールド導体２０３Ａ内に配置された接点部材２０３Ｂと、図３（Ｂ）に示すようにリング状に形成されて変圧器側シールド導体２０３Ａ内に挿入されたシールド環２０３Ｃとにより構成されている。
【００３５】
更に詳細に説明すると、変圧器側シールド導体２０３Ａは先端が開口した筒状体からなっていて、その底部２０３a1の外面に棒状の端子導体２２４が接続されている。接点部材２０３Ｂは、有底円筒状の基部２０３b1の開口端から多数の接触子片２０３b2を突出させた構造を有していて、その基部２０３b1を変圧器側に向けた状態でリード側シールド導体２０３Ａ内に挿入されている。またシールド環２０３Ｃは変圧器側シールド導体２０３Ａの開口部からその内部に挿入されて、接点部材２０３Ｂの接触子片の先端に内側から当接されている。接点部材２０３Ｂの基部２０３b1の内側にはヒューズ筒の先端を把持する把持バネ２２５（図１参照）が配置され、把持バネ２２５と接点部材２０３Ｂの底部とがボルトにより共締めされて変圧器側シールド導体２０３Ａの底部２０３a1に締結されている。
【００３６】
また変圧器側シールド導体２０３Ａの底部２０３a1は套管２０１の後端部を閉じる端板２２０に当接され、底部２０３a1の外面に固定された端子導体２２４が端板２２０の軸心部を貫通して外部（変圧器タンク内）に導出されている。外部に導出された端子導体２２４の外周に設けられたネジ部にナット２２６が螺合されて、端子導体２２４が端板２２０に締結されることにより、変圧器側シールド導体２０３Ａが、その他端をリード側コンタクト側に開口させた状態で套管２０１に対して支持されている。端子導体２２４には、変圧器タンク１内に収容された図示しない変圧器本体の一次側から引き出された口出し線４が接続される。
【００３７】
変圧器側消孤筒２０５Ｂは、図３（Ｄ）に示すように、中間部から先端部に至る部分の内周にテーパがつけられた筒体からなっていて、その後端部に設けられた首部２０５b1の外周に環状の突起２０５b2が形成されている。また変圧器側消孤筒２０５Ｂの先端部寄りの外周には環状の溝部２０５b3が形成されている。変圧器側消孤筒２０５Ｂは、その首部２０５b1を変圧器側シールド導体２０３Ａの他端側の内側に挿入した状態で配置されて、変圧器側消孤筒２０５Ｂの後端部の突起２０５b2が変圧器側シールド導体２０３Ａの先端に設けられたつば部２０３a2とに当接され、突起２０５b2とつば部２０３a2とが図８（Ａ）及び（Ｂ）に示した連結部材２３０を介して相互に連結されて、変圧器側消孤筒２０５Ｂが変圧器側シールド導体２０３Ａに連結されている。
【００３８】
図示の連結部材２３０は、横断面の輪郭形状が正方形の４つの角部に丸みを付した形状を呈して、変圧器側シールド導体２０３Ａと変圧器側消弧筒２０５Ｂとの相互に連結される部分を取り囲むことができるリング状の部材を軸線を含む平面に沿って２つ割にして形成した半部２３０Ａ，２３０Ｂからなっていて、半部２３０Ａ及び２３０Ｂの内周には、変圧器側シールド導体２０３Ａのつば部２０３a2と変圧器側消孤筒２０５の突起２０５b2とを嵌合させる凹部２３０ａが形成されている。連結部材２３０により変圧器側消弧筒と変圧器側シールド筒体とを連結する際には、変圧器側消孤筒２０５Ｂの突起２０５b2を変圧器側シールド導体２０３Ａの先端に設けられたつば部２０３a2に当接させた状態で、突起２０５b2及びつば部２０３a2に半部２３０Ａ，２３０Ｂを嵌合させて両半部を突き合わせる。半部２３０Ａ，２３０Ｂは、このようにして突き合わされたときに両者間に水を通過させるための隙間ｇ（図８Ａ参照）が形成されるように作られている。また連結部材２３０が変圧器側消弧筒及び変圧器側シールド導体に取り付けられた状態で連結部材２３０の最大径部分（輪郭形状の角部）が套管２０１の内周面に当接するように、該連結部材２３０の最大径が設定され、連結部材２３０と套管２０１の内周面との係合により変圧器側消弧筒と変圧器側シールド導体との連結部が套管に対して支持されるようになっている。また図示の例では、連結部材２３０の凹部２３０ａ内に侵入した水を抜くために、凹部２３０ａの底部に相当する部分を貫通させて、水抜き孔２３０ｂ（図８Ｂ参照）が設けられている。
【００３９】
更に変圧器側消孤筒２０５Ｂの先端部寄りの外周に形成された環状の溝部２０５b3に図９（Ａ）及び（Ｂ）に示された支持部材２３１が取り付けられてこの支持部材２３１により変圧器側消弧筒２０５Ｂの先端部付近が套管２０１に対して支持されている。支持部材２３１は内周に凹部を有しない点を除き連結部材２３０を構成する半部２３０Ａ及び２３０Ｂと同様の構造を有する半部２３１Ａ及び２３１Ｂからなっていて、これらの半部を溝部２０５b3に嵌合させて突き合わせることにより変圧器側消弧筒２０５Ｂに取り付けられる。支持部材２３１を変圧器側消弧筒２０５Ｂに取り付けた状態で支持部材２３１の最大径部分が套管２０１の内周面に当接するように、該支持部材２３１の最大径が設定されている。また半部２３１Ａ，２３１Ｂは、変圧器側消弧筒の溝部２０５b3に嵌合されて突き合わされたときに両者間に水を通過させるための隙間ｇ（図９Ａ参照）が形成されるように作られている。
【００４０】
套管２０１の内周面が水で濡れにくくするため、套管２０１の内周面にフッ素樹脂などの撥水性材料からなるコーティング剤が塗布されている。消弧筒２０５Ａ及び２０５Ｂを構成するジュラコン樹脂は、もともと撥水性を有しているため、撥水性材料からなるコーティング剤の塗布は不要である。
【００４１】
本実施形態のブッシングにおいては、套管２０１とコンタクト支持導体２２２との間、套管２０１とリード側コンタクト２０２との間、套管２０１とリード側消孤筒２０５Ａとの間、套管２０１と変圧器側消孤筒２０５Ｂとの間及び套管２０１と変圧器側シールド導体２０３Ａとの間にそれぞれ隙間Ｇ1，Ｇ2，Ｇ3，Ｇ4及びＧ5が形成されて、これらの隙間Ｇ1ないしＧ5により、套管２０１の後端部が変圧器タンクに取り付けられた状態にあるときに套管２０１内に存在する水を套管２０１の内周面に沿って該套管の先端側に流下させる排水通路２３３が套管の軸線方向の全長に亘って形成されている。この排水通路の途中には、連結部材２３０及び支持部材２３１が配置されているが、これらの部材は、水を通過させるための隙間ｇを有しているため、排水通路２３３が途中で分断されることはない。
【００４２】
また本実施形態のブッシングでは、套管２０１の先端部に、エンドキャップ２２１の内側の凹部２２１ｂによりエンドキャップ２２１と套管２０１の先端との間に形成された隙間Ｇaにより、ブッシングを斜め下方に傾けて変圧器タンクに取り付けた状態での排水通路２３３の最下端に一端が連通し、他端が下方に開口した排水口２３４が形成されている。
【００４３】
リード側コンタクト２０２に接続された端子棒２２３の一端のリード線接続部に外部から引き込まれたリード線３が接続され、変圧器側コンタクト２０３に接続された端子導体２２４に変圧器本体の一次側から引き出された口出線４が接続されている。
【００４４】
カットアウトヒューズ２０４は、その後端部を変圧器タンク１側に向けた状態で、ブッシング２の套管２０１のエンドキャップ２２１に設けられたヒューズ挿入口２２１ａからブッシング２内に挿入されて、その後端側に設けられた消孤棒２０９が変圧器側コンタクト２０３内に挿入されるとともに、リード側電極２０７及び変圧器側電極２０８がそれぞれリード側コンタクト２０２及び変圧器側コンタクト２０３に接触させられる。これによりカットアウトヒューズが投入状態にされる。カットアウトヒューズを投入状態に確実に保持するため、カットアウトヒューズの消弧棒に設けられた把持部２０９ａが、変圧器側シールド導体２０３Ａの内側に固定された把持バネ２２５により把持される。図１はこのようにしてカットアウトヒューズ２０４が投入された状態を示している。
【００４５】
溶断されていない状態にあるカットアウトヒューズ２０４をブッシング２から引き外す際には、カットアウトヒューズ２０４のリード側電極２０７及び変圧器側電極２０３がそれぞれブッシングのリード側コンタクト２０２及び変圧器側コンタクト２０３から離れた際にアークが発生するが、本実施形態の変圧器では、このアークの熱により消弧管２１０及び消弧棒２０９と消弧筒２０５Ａ及び２９５Ｂとを加熱してこれらから消弧性のガスを発生させて、このガスによりアークを冷却することにより消弧を図るようにしている。
【００４６】
上記のように、套管２０１内に存在する水を套管の内周面の下部に沿って該套管の先端側に流下させる排水通路２３３を套管の軸線方向の全長に亘って設けるとともに、排水通路２３３に沿って流下した水を外部に排出させる排水口２３４を套管の先端部に設けると、ブッシング内に侵入した水及びブッシング内で結露した水を溜めることなく、排水通路を通して速やかに外部に排出することができる。従って、雨中でカットアウトヒューズの交換作業を行なう際などにブッシング内に水が侵入したときに、早期に水を套管の外部に排出して、水の存在によりブッシング内の絶縁耐力が低下する状態が長時間継続するのを防ぐことができ、ヒューズが溶断した状態にある間にブッシング内の絶縁耐力が低下した状態となる確率を少なくして、消孤筒の内周面及び外周面とヒューズ容器の外周面とを通して流れる漏れ電流により消孤筒及びヒューズ容器が劣化するおそれを少なくすることができる。
【００４７】
また上記のように、消弧筒をリード側消弧筒２０５Ａと変圧器側消弧筒２０５Ｂとに分割すると、消孤筒の外周面及び内周面を通して形成される鉛面距離を２つに断ち切ることができるため、変圧器側コンタクト２０２とリード側コンタクト２０３との間の鉛面絶縁距離を長くして絶縁耐力を高めることができ、ブッシング内に水が存在するときに両コンタクト間を通して漏れ電流が流れるのを防ぐことができる。
【図面の簡単な説明】
【００４８】
【図１】本発明に係わるカットアウトヒューズ内蔵形変圧器の実施形態の要部の構成を示した断面図である。
【図２】同実施形態で用いるカットアウトヒューズを一部断面して示した正面図である。
【図３】（Ａ）及び（Ｂ）はそれぞれ同実施形態で用いる変圧器側コンタクトを構成する接点部材の正面図及びシールド環の断面図である。また（Ｃ）は同実施形態で用いる変圧器側コンタクトを構成する変圧器側シールド導体の断面図、（Ｄ）は同シールド導体に連結される変圧器側消弧筒の断面図である。
【図４】本発明の実施形態で用いるエンドキャップの断面図である。
【図５】（Ａ）及び（Ｂ）はそれぞれ本発明の実施形態で用いるコンタクト支持筒体の側面図及び正面図である。
【図６】（Ａ）ないし（Ｃ）は本発明の実施形態で用いる変圧器側コンタクトの構成部品を示したもので、（Ａ），（Ｂ）及び（Ｃ）はそれぞれ接点部材の正面図、リード側シールド導体の断面図及びシールド環の断面図である。
【図７】（Ａ）ないし（Ｃ）は本発明の実施形態で用いるリード側消弧筒の構成部品を示したもので、（Ａ），（Ｂ）及び（Ｃ）はそれぞれコンタクト側消孤筒の断面図、エンドキャップ側消孤筒の断面図及びエンドキャップ側消弧筒の側面図である。
【図８】（Ａ）は本発明の実施形態で用いる連結部材の正面図、（Ｂ）は（Ａ）のＡ−Ａ線矢視図である。
【図９】（Ａ）は本発明の実施形態で用いる支持部材の正面図、（Ｂ）は（Ａ）のＢ−Ｂ線矢視図である。
【図１０】従来のカットアウトヒューズ内蔵形変圧器の要部の構成を示した断面図である。
【符号の説明】
【００４９】
１  変圧器タンク
２  カットアウト機能付きブッシング
３  リード線
４  変圧器本体の一次側からの口出線
２０１  套管
２０２  リード側コンタクト
２０３  変圧器側コンタクト
２０４  カットアウトヒューズ
２０５Ａ  リード側消弧筒
２０５Ｂ  変圧器側消弧筒
２３３  排水通路
２３４  排水口
【図１】
2006253378.tif 000003
【図２】
2006253378.tif 000004
【図３】
2006253378.tif 000005
【図４】
2006253378.tif 000006
【図５】
2006253378.tif 000007
【図６】
2006253378.tif 000008
【図７】
2006253378.tif 000009
【図８】
2006253378.tif 000010
【図９】
2006253378.tif 000011
【図１０】
2006253378.tif 000012